(57)【要約】【課題】マルチディスプレイシステムにおいて表示される表示画面の拡大率として適切な値を簡単に設定することができる。【解決手段】複数の表示装置を用いて一つの表示画面を構成するマルチディスプレイシステムに含まれる表示装置であって、表示部と、前記表示部の各辺に対応して設けられるセンサー部と、前記センサー部による検知結果に基づいて隣接する他の表示装置との距離を導出する導出部と、前記導出部により導出された距離に基づいて、前記表示画面に表示させる画像の拡大率を決定する決定部と、を備える。【選択図】図２
2019200396.tif 000002
【特許請求の範囲】
【請求項１】
複数の表示装置を用いて一つの表示画面を構成するマルチディスプレイシステムに含まれる表示装置であって、
表示部と、
前記表示部の各辺に対応して設けられるセンサー部と、
前記センサー部による検知結果に基づいて隣接する他の表示装置との距離を導出する導出部と、
前記導出部により導出された距離に基づいて、前記表示画面に表示させる画像の拡大率を決定する決定部と、
を備える表示装置。
【請求項２】
前記決定部は、
前記導出部により導出された距離と前回値とが異なる場合、前記導出部により導出された距離と前回値との差分に基づいて前記拡大率を決定する、
請求項１に記載の表示装置。
【請求項３】
前記決定部は、
前記導出部により導出された距離に基づいて、前記表示画面に表示させる画像に対する、前記表示部に表示させる分割画像の位置を決定する、
請求項１または２に記載の表示装置。
【請求項４】
前記決定部は、
前記導出部により導出された距離に基づいて、前記表示画面における前記表示部の画面位置を決定する、
請求項１から３のうちいずれか一項に記載の表示装置。
【請求項５】
前記決定部は、前記導出部により導出された距離に基づいて、前記表示画面のサイズが変更したか否かを判定し、前記表示画面のサイズが変更したと判定した場合、変更した前記表示画面のサイズに応じた前記拡大率を決定する、
請求項１から４のうちいずれか一項に記載の表示装置。
【請求項６】
複数の表示装置を用いて一つの表示画面を構成するマルチディスプレイシステムに含まれる表示装置を制御する表示制御方法であって、
前記表示装置の表示部の各辺に対応して設けられるセンサー部による検知結果に基づいて、隣接する他の表示装置との距離を導出し、
導出された距離に基づいて、前記表示画面に表示させる画像の拡大率を決定する、
表示制御方法。
【請求項７】
複数の表示装置を用いて一つの表示画面を構成するマルチディスプレイシステムに含まれる表示装置を制御するプログラムであって、
前記表示装置の表示部の各辺に対応して設けられるセンサー部による検知結果に基づいて、隣接する他の表示装置との距離を導出させ、
導出された距離に基づいて、前記表示画面に表示させる画像の拡大率を決定させる、
プログラム。
【発明の詳細な説明】
【技術分野】
【０００１】
本発明は、表示装置、表示制御方法、およびプログラムに関する。
【背景技術】
【０００２】
従来より、複数の表示装置をつなぎ合わせて一つの表示画面を構成し、この表示画面に拡大画像を表示させるシステム（以下、マルチディスプレイシステムと記す。）が知られている（例えば、特許文献１参照）。このマルチディスプレイシステムは、表示装置同士が例えばデイジーチェーン接続されており、各表示装置が拡大画像を分割した分割画像を表示することにより、複数の表示装置で画像全体を表示することができる。
【先行技術文献】
【特許文献】
【０００３】
【特許文献１】特開２０１５−１７２７０７号公報
【発明の概要】
【発明が解決しようとする課題】
【０００４】
しかしながら、表示装置間を隙間なく配置することが困難な場合や、設置条件や設置環境の変化に応じて設置後に表示装置間に隙間が生じる場合があった。このような場合、分割画像同士のつなぎ目がズレる場合があり、拡大画面をきれいに再現することができない場合があった。その場合、表示画面に表示させる画面の拡大率を利用者が手動で調整する必要があり、手間であった。また、手動で調整する場合、適切な拡大率を設定できない場合があった。
【０００５】
本発明は、このような事情に鑑みてなされたもので、その目的は、マルチディスプレイシステムにおいて表示される表示画面の拡大率として適切な値を簡単に設定することができる表示装置、表示制御方法、およびプログラムを提供することを目的の一つとする。
【課題を解決するための手段】
【０００６】
上述した課題を解決するために、本発明の第１態様は、複数の表示装置を用いて一つの表示画面を構成するマルチディスプレイシステムに含まれる表示装置であって、表示部と、前記表示部の各辺に対応して設けられるセンサー部と、前記センサー部による検知結果に基づいて隣接する他の表示装置との距離を導出する導出部と、前記導出部により導出された距離に基づいて、前記表示画面に表示させる画像の拡大率を決定する決定部と、を備える。
【０００７】
また、本発明の第２態様は、上述の表示装置において、前記決定部が、前記導出部により導出された距離と前回値とが異なる場合、前記導出部により導出された距離と前回値との差分に基づいて前記拡大率を決定するようにしてもよい。
【０００８】
また、本発明の第３態様は、上述の表示装置において、前記決定部が、前記導出部により導出された距離に基づいて、前記表示画面に表示させる画像に対する、前記表示部に表示させる分割画像の位置を決定するようにしてもよい。
【０００９】
また、本発明の第４態様は、上述の表示装置において、前記決定部が、前記導出部により導出された距離に基づいて、前記表示画面における前記表示部の画面位置を決定するようにしてもよい。
【００１０】
また、本発明の第５態様は、上述の表示装置において、前記決定部が、前記導出部により導出された距離に基づいて、前記表示画面のサイズが変更したか否かを判定し、前記表示画面のサイズが変更したと判定した場合、変更した前記表示画面のサイズに応じた前記拡大率を決定するようにしてもよい。
【００１１】
また、本発明の第６態様は、複数の表示装置を用いて一つの表示画面を構成するマルチディスプレイシステムに含まれる表示装置を制御する表示制御方法であって、前記表示装置の表示部の各辺に対応して設けられるセンサー部による検知結果に基づいて、隣接する他の表示装置との距離を導出し、導出された距離に基づいて、前記表示画面に表示させる画像の拡大率を決定する。
【００１２】
また、本発明の第７態様は、複数の表示装置を用いて一つの表示画面を構成するマルチディスプレイシステムに含まれる表示装置を制御するプログラムであって、前記表示装置の表示部の各辺に対応して設けられるセンサー部による検知結果に基づいて、隣接する他の表示装置との距離を導出させ、導出された距離に基づいて、前記表示画面に表示させる画像の拡大率を決定させる。
【発明の効果】
【００１３】
以上説明したように、この発明によれば、マルチディスプレイシステムにおいて表示される表示画面の拡大率として適切な値を簡単に設定することができる。
【図面の簡単な説明】
【００１４】
【図１】本発明の一実施形態に係る表示装置を含むマルチディスプレイシステム１の構成図である。
【図２】本発明の一実施形態に係る表示装置１０の概略図である。
【図３】センサー部１４の一例について説明する参考図である。
【図４】実施形態に係る表示装置１００において実行される初期設定の処理の一例を示すフローチャートである。
【図５】マスター装置において実行される調整処理の一例を示すフローチャートである。
【図６】マスター装置において定期的に実行される処理の一例を示すフローチャートである。
【図７】実施形態に係る表示制御方法の具体例について説明するための図である。
【図８】マスター装置において定期的に実行される調整処理の他の例を示すフローチャートである。
【図９】分割画像位置の初期設定値について説明するための図である。
【図１０】距離情報に基づいて決定された分割画像位置について説明するための図である。
【発明を実施するための形態】
【００１５】
以下、図面を参照し、本発明の一実施形態に係る表示装置について説明する。
【００１６】
［マルチディスプレイシステムの構成］
図１は、本発明の一実施形態に係る表示装置を含むマルチディスプレイシステム１の構成図である。マルチディスプレイシステム１は、複数の表示装置１０Ａ，１０Ｂ，１０Ｃ，…を含む。図１は、マルチディスプレイシステム１が、９つの表示装置１０Ａ〜１０Ｉを備える例である。
【００１７】
マルチディスプレイシステム１において、横方向がＸ軸、縦方向がＹ軸とする。図示の通り、マルチディスプレイシステム１の表示画面（以下、マルチディスプレイ画面と記す）のサイズは、横サイズがＸ１、縦サイズがＹ１である。マルチディスプレイ画面の横サイズおよび縦サイズは、複数の表示装置１０Ａ〜１０Ｉにより構成される画面の最大値である。例えば、横サイズは、表示装置１０Ａ，１０Ｄ，１０Ｇのうち画面の端部が最もＸ軸のマイナス側に位置する表示装置の画面の端部から、表示装置１０Ｃ，１０Ｆ，１０Ｉのうち画面の端部が最もＸ軸のプラス側に位置する表示装置の画面の端部までの長さである。縦の長さは、表示装置１０Ａ，１０Ｂ，１０Ｃのうち画面の端部が最もＹ軸のマイナス側に位置する表示装置の画面の端部から、表示装置１０Ｇ，１０Ｈ，１０Ｉのうち画面の端部が最もＹ軸のプラス側に位置する表示装置の画面の端部までの長さである。図示の例は、表示装置１０Ａ，１０Ｄ，１０Ｇの端部（Ｘ軸のマイナス側の端部）が一直線にそろっており、表示装置１０Ａ，１０Ｂ，１０Ｃの端部（Ｙ軸のマイナス側の端部）が一直線にそろっており、且つ、各表示装置１０Ａ〜１０Ｉが等間隔に並べられている例である。
【００１８】
複数の表示装置１０Ａ〜１０Ｉは、例えば、表示装置１０Ａ，１０Ｂ，１０Ｃ，…の順番にデイジーチェーン接続されており、表示装置１０Ａがマスター装置であって、その他の表示装置１０Ｂ…がスレーブ装置である。マルチディスプレイ画面に表示させるための画像データは、表示装置１０Ａから入力される。表示装置１０Ａは、入力された画像データをそのまま、次の表示装置１０Ｂに出力してもよく、画像処理した後の画像データを出力してもよい。画像処理には、例えば、入力した画像データを設定されている拡大率に従って拡大する処理や、マルチディスプレイ画面における画面位置等に応じて分割画像に切り出す処理等が含まれる。なお、スレーブ装置である表示装置１０Ｂ〜１０Ｉは、画像処理されていない画像データを受信した場合、それぞれ上述の画像処理を実行してもよい。
【００１９】
また、各表示装置１０Ａ〜１０Ｉには、画面位置ナンバーが割り当てられている。画面位置ナンバーは、マルチディスプレイ画面における位置を示す情報である。画面位置ナンバーは、マルチディスプレイ画面の分割数に応じて予め決められている。分割数が９である場合、図１に示すように、各表示装置１０Ａ，１０Ｂ，１０Ｃ…には、画面位置ナンバーＭ１，Ｍ２，Ｍ３…が割り当てられている。
【００２０】
［表示装置１０］
図２は、本発明の一実施形態に係る表示装置１０の概略図である。上述の表示装置１０Ａ〜１０Ｉは、全て同様の構成を有する。以下、これらの代表として表示装置１０について説明し、表示装置１０Ａ〜１０Ｉのそれぞれについての説明を省略する。表示装置１０は、例えば、通信部１１と、表示部１２と、記憶部１３と、センサー部１４と、入力部１５と、情報処理部１８とを含む。通信部１１は、有線または無線で、デイジーチェーン接続された他の表示装置と通信する。また、通信部１１は、ネットワークを介して外部装置と通信してもよい。ネットワークは、例えば、ＷＡＮ（Wide Area Network）やＬＡＮ（Local Area Network）、インターネット、専用回線、無線基地局、プロバイダなどのうちの一部または全部を含む。表示部１２は、例えば、ＬＣＤ（Liquid Crystal Display）や有機ＥＬ（Electroluminescence）ディスプレイ等である。
【００２１】
記憶部１３は、例えば、ＲＡＭ（Random Access Memory）、ＲＯＭ（Read Only Memory）、ＳＳＤなどのフラッシュメモリ、ＨＤＤ（Hard Disk Drive）などである。記憶部１３には、例えば、距離情報１３１、画面位置情報１３２、拡大率情報１３３、分割画像位置情報１３４などが格納される。また、記憶部１３には、各表示装置１０Ａ〜１０Ｉの表示画面のサイズ（縦×横）を示す情報が格納されている。なお、各表示装置１０Ａ〜１０Ｉの表示画面のサイズは、全て同じである。
【００２２】
センサー部１４は、例えば、赤外線出力部１４１と、赤外線検出部１４２とを備える。赤外線出力部１４１は、赤外光を出射する発行部材を備える。赤外線検出部１４２は、赤外光が物体に反射した反射光を受光する受光部材を備える。赤外線検出部１４２は、例えば、反射光の入射角度に応じて変化する出力電圧を検出し、検出結果を情報処理部１８に出力する。反射光の入射角度は、赤外光が物体に反射した箇所から受光した箇所までの距離に応じて変化する。
【００２３】
図３は、センサー部１４の一例について説明する参考図である。ここでは、画面位置ナンバーＭ１の位置に配置されている表示装置１０Ａについて説明する。センサー部１４は、上側センサー部１４ａと、下側センサー部１４ｂと、左側センサー部１４ｃと、右側センサー部１４ｄとを含む。表示装置１０の右側と下側にはそれぞれ、表示装置１０Ｂ，１０Ｄが配置されている。下側センサー部１４ｂと右側センサー部１４ｄとは、赤外光が表示装置１０Ｂ，１０Ｄに反射した反射光を受光し、反射角の入射角度に応じた出力電圧を出力する。一方、上側センサー部１４ａと左側センサー部１４ｃとは、赤外光が他の表示装置に反射した反射光を受光しない。このため、下側センサー部１４ｂと右側センサー部１４ｄは、隣接する表示装置との距離に応じた出力電圧を検出し、上側センサー部１４ａと左側センサー部１４ｃは、出力電圧を検出しない。
【００２４】
入力部１５は、例えば、表示部１２と一体として形成されるタッチパネル、各種キー、ボタン、ダイヤルスイッチ、マウスなどのうち一部または全部を含む。
【００２５】
情報処理部１８は、例えば、距離導出部１８１と、決定部１８２と、画像処理部１８３とを備える。これらの構成要素のうち一部または全部は、例えば、ＣＰＵ（Central Processing Unit）などのプロセッサが、記憶部１３に記憶されたプログラム（ソフトウェア）を実行することで実現される。また、これらの構成要素の機能のうち一部または全部は、ＬＳＩ、ＡＳＩＣ、ＦＰＧＡ等のハードウェア（回路部：circuitryを含む）によって実現されていてもよいし、ソフトウェアとハードウェアの協働によって実現されていてもよい。
【００２６】
距離導出部１８１は、赤外線検出部１４２により検出された出力電圧に基づいて、赤外光を反射した物体から反射光を受光した物体までの距離を導出する。距離導出部１８１は、導出結果を、距離情報１３１の一部として記憶部１３に格納する。距離情報１３１は、センサー部１４により測定された隣接する他の表示装置との距離を示す情報である。距離情報１３１は、表示装置の各辺について距離情報を含む。また、距離情報１３１は、他の表示装置により測定された距離情報を含んでいてもよい。
【００２７】
また距離導出部１８１は、所定のタイミングにおいて、赤外光を出射するようにセンサー部１４に指示する。例えば、距離導出部１８１は、センサー部１４に対して赤外光の出射を指示した後の所定時間内に赤外線検出部１４２により検出された出力電圧に基づいて、距離を導出する。なお、センサー部１４が設けられている辺には他の表示装置がない場合、赤外線検出部１４２が反射光を受光できないため、センサー部１４に対して赤外光の出射を指示した後の所定時間内に出力電圧を検出できない。この場合、距離導出部１８１は、距離＝測定範囲以上を導出する。
【００２８】
画像処理部１８３は、通信部１１を用いて受信した画像データに基づいて、自身に割り当てられている分割画像を表示部１２に表示させる。例えば、画像処理部１８３は、記憶部１３に格納される拡大率情報１３３を参照して、受信した画像データを拡大率に従って拡大させる。また画像処理部１８３は、記憶部１３に格納されている分割画像位置情報１３４を参照して、拡大された画像から分割画像位置に対応する分割画像を切り出する。
【００２９】
決定部１８２は、例えば、画面位置決定部１８２Ａと、拡大率決定部１８２Ｂと、分割画像位置決定部１８２Ｃとを含む。拡大率決定部１８２Ｂと、分割画像位置決定部１８２Ｃとは、マスター装置に設定された表示装置１０Ａにおいて実現される構成である。
【００３０】
画面位置決定部１８２Ａは、マルチディスプレイ画面における各表示装置１０Ａ〜１０Ｉの位置（以下、画面位置と記す）を決定する。例えば、画面位置決定部１８２Ａは、入力部１５を用いてユーザにより入力された画面位置ナンバーを、画面位置を示す情報として取得する。画面位置決定部１８２Ａは、取得した画面位置を示す情報を、画面位置情報１３２の一部として記憶部１３に格納する。画面位置情報１３２は、自装置に割り当てられた画面位置ナンバーを示す情報である。
【００３１】
また画面位置決定部１８２Ａは、デイジーチェーン接続される順番に従って自装置に対して画像位置ナンバーを割り当ててもよい。例えば、画面位置決定部１８２Ａは、一つ前に接続されている表示装置から受信した画面位置ナンバーに基づいて自身の画面位置ナンバーを割り当て、自身の画面位置ナンバーを一つ後ろに接続されている表示装置に送信してもよい。
【００３２】
また画面位置決定部１８２Ａは、マルチディスプレイ画面の分割数が９以下である場合、距離導出部１８１により導出された距離に基づいて画面位置を決定してもよい。例えば、画面位置決定部１８２Ａは、導出された距離が測定範囲以上である辺の組み合わせに基づいて画面位置を決定する。具体的には、分割数が９であり、上の辺だけ距離＝測定範囲以上である場合、画面位置決定部１８２Ａは、画面位置ナンバー＝Ｍ２と決定する。
【００３３】
拡大率決定部１８２Ｂは、距離導出部１８１により導出された距離に基づいて、マルチディスプレイ画面に表示させる画像の拡大率を決定する。拡大率は、例えば、表示装置１０の表示画面の大きさに対するマルチディスプレイ画面の大きさの割合である。拡大率決定部１８２Ｂは、導出した拡大率を示す情報を、拡大率情報１３３の一部として記憶部１３に格納する。また、拡大率決定部１８２Ｂは、通信部１１を用いて、導出した拡大率を示す情報を他の表示装置１０Ｂ〜１０Ｉに送信してもよい。
【００３４】
拡大率決定部１８２Ｂは、例えば、距離導出部１８１により導出された距離に加え、他の表示装置１０Ｂ〜１０Ｉにより導出された距離に基づいて、マルチディスプレイ画面のサイズ（Ｘ１，Ｙ１）を導出する。ここでは、複数の表示装置１０Ａ〜１０Ｉの設定時の条件として、マルチディスプレイ画面の縦および横のそれぞれ少なくとも一辺において、複数の表示装置１０Ａ〜１０Ｉの一辺を揃えて設置されていることが決められているとする。例えば、表示装置１０Ａ，１０Ｄ，１０ＧのＸ軸のマイナス側の端部が一直線に揃えられており、表示装置１０Ａ，１０Ｂ，１０ＣのＹ軸のマイナス側の端部が一直線に揃えられているとする。
【００３５】
拡大率決定部１８２Ｂは、例えば、表示装置１０Ａ〜１０Ｃの画面の横サイズの和、表示装置１０Ａと表示装置１０Ｂとの距離、および表示装置１０Ｂと表示装置１０Ｃとの距離の合計値を、上段装置の横サイズＸ１１として導出する。同様にして、拡大率決定部１８２Ｂは、中段装置（表示装置１０Ｄ〜１０Ｆ）の横サイズＸ１２と、下段装置（表示装置１０Ｇ〜１０Ｉ）の横サイズＸ１３とを導出する。拡大率決定部１８２Ｂは、導出した横サイズＸ１１〜Ｘ１３の中での最大値を、マルチディスプレイ画面の横サイズＸ１とする。同様にして、拡大率決定部１８２Ｂは、左側装置（表示装置１０Ａ，１０Ｄ，１０Ｇ）の縦サイズＹ１１と、中央装置（表示装置１０Ｂ，１０Ｅ，１０Ｈ）の縦サイズＹ１２と、右側装置（表示装置１０Ｃ，１０Ｆ，１０Ｉ）の縦サイズＹ１３とを導出し、導出した縦サイズＹ１１〜Ｙ１３の中での最大値をマルチディスプレイ画面の縦サイズＹ１として導出する。拡大率決定部１８２Ｂは、導出したマルチディスプレイ画面のサイズ（Ｘ１×Ｙ１）で表示するための拡大率を決定する。
【００３６】
上記の方法に限られず、拡大率決定部１８２Ｂは、表示装置１０の隙間として予め決められた設定値に対する、表示装置１０同士の計測された距離の乖離の大きさに基づいて、拡大率を決定してもよい。例えば、表示装置１０の隙間としての設定値が例えば１０ｍｍであり、距離導出部１８１により導出された距離が１５ｍｍであった場合、乖離の大きさは＋５ｍｍである。拡大率決定部１８２Ｂは、表示装置１０の隙間が設定値（１０ｍｍ）であった場合の拡大率として予め設定されている設定拡大率に対して乖離の大きさに応じた係数を乗算し、拡大率を決定してもよい。乖離の大きさに応じた係数は、乖離の大きさが大きくなるに従って大きくなる。なお、乖離の大きさに応じた係数は、上述した横サイズと縦サイズの導出方法と同様に、縦方向あるいは横方向に直列に並んでいる複数の表示装置ごとに導出され、最大値となる係数が適用される。
【００３７】
また拡大率決定部１８２Ｂは、距離導出部１８１により導出された距離と前回値とが異なる場合、距離導出部１８１により導出された距離と前回値との差分に基づいて拡大率を決定する。
【００３８】
分割画像位置決定部１８２Ｃは、距離導出部１８１により導出された距離に基づいて、マルチディスプレイ画面に表示させる全体画像における分割画像の位置を決定する。分割画像の位置は、例えば、マルチディスプレイ画面に設定されたＸＹ座標値で示されていてもよく、初期設定値に対するズレ量で示されていてもよい。初期設定値とは、マルチディスプレイ画面における画面位置に応じて予め決められている分割画像の位置をＸＹ座標値で示す情報である。分割画像位置決定部１８２Ｃは、決定した分割画像の位置を示す情報を、分割画像位置情報１３４の一部として記憶部１３に格納する。
【００３９】
［フローチャート］
次に、図４−７を参照して、実施形態に係る表示制御方法について説明する。図４は、実施形態に係る表示装置１００において実行される初期設定の処理の一例を示すフローチャートである。まず、マルチディスプレイシステム１は、例えばデイジーチェーン接続の先頭に位置する表示装置１０Ａの入力部１５を用いて、ユーザからの初期情報の入力を受け付ける（ステップＳ１０１）。初期情報には、例えば、マルチディスプレイ画面を構成する表示装置の数や、縦方向に並べられた表示装置の数、横方向に並べられた表示装置の数等が含まれる。
【００４０】
画面位置決定部１８２Ａは、ステップＳ１０１において入力された初期情報に基づいて、マルチディスプレイ画面を構成する表示装置の数が９以下であるか否かを判定する（ステップＳ１０２）。表示装置の数が９以下でないと判定した場合、画面位置決定部１８２Ａは、表示部１２を用いて、マルチディスプレイ画面における画面位置ナンバーの入力を要求する（ステップＳ１０３）。例えば、ユーザは、各表示装置１０Ａ〜１０Ｉの各入力部１５を用いて、それぞれの画面位置を設定する。これにより、各表示装置１０Ａ〜１０Ｉの画面位置が決定される。
【００４１】
一方、ステップＳ１０２において表示装置の数が９以下であると判定した場合、画面位置決定部１８２Ａは、距離導出部１８１に対して各辺についての距離を導出するよう指示する（ステップＳ１０４）。例えば、表示装置１０Ａの画面位置決定部１８２Ａは、距離導出部１８１に対して各辺についての距離を導出するよう指示する。また、表示装置１０Ａの画面位置決定部１８２Ａは、通信部１１を介してデイジーチェーン接続された他の表示装置１０Ｂ〜１０Ｉに対しても、各辺についての距離を導出するよう指示するリクエストを順次送信する。
【００４２】
複数の表示装置１０Ａ〜１０Ｉのそれぞれにおいて、各距離導出部１８１は、各センサー部１４に対して赤外光を出射するように指示し、各センサー部１４により検出された出力電圧に基づいて、距離を導出する。各画面位置決定部１８２Ａは、それぞれ対応する表示装置１０Ａ〜１０Ｉの各辺の距離情報を取得する（ステップＳ１０５）。各画面位置決定部１８２Ａは、取得した距離情報に基づいて、各表示装置１０Ａ〜１０Ｉの画面位置を決定し、各記憶部１３に格納する（ステップＳ１０６）。
【００４３】
次に、マスター装置として予め設定されている画面位置ナンバーが割り当てられている表示装置の情報処理部１８は、自装置をマスター装置に決定する（ステップＳ１０７）。次いで、例えばマスター装置に決定された表示装置１０Ａは、全ての表示装置１０Ａ〜１０Ｉにおいて導出された距離情報を取得する（ステップＳ１０８）。例えば、情報処理部１８は、通信部１１を用いてスレーブ装置である表示装置１０Ｂ〜１０Ｉに対して、距離情報の送信を指示し、他の表示装置１０Ｂ〜１０Ｉの全てから距離情報を取得する。そして、表示装置１０Ａの情報処理部１８は、調整処理を実行し（ステップＳ１０９）、調整処理による結果をスレーブ装置である表示装置１０Ｂ〜１０Ｉに送信する（ステップＳ１１０）。
【００４４】
図５は、マスター装置において実行される調整処理の一例を示すフローチャートである。まず、拡大率決定部１８２Ｂは、取得した距離情報に基づいて、拡大率を決定する（ステップＳ２０１）。拡大率決定部１８２Ｂは、マスター装置の分割画像位置決定部１８２Ｃに対して分割画像位置を決定するよう指示するとともに、通信部１１を用いて他の表示装置１０Ｂ〜１０Ｉのそれぞれの分割画像位置決定部１８２Ｃに対して分割画像位置を決定するよう指示する（ステップＳ２０２）。
【００４５】
図６は、マスター装置において定期的に実行される処理の一例を示すフローチャートである。拡大率決定部１８２Ｂは、所定のタイミングに到達したか否かを判定する（ステップＳ３０１）。所定のタイミングに到達した場合、拡大率決定部１８２Ｂは、自装置の距離導出部１８１に対して各辺の距離を導出するよう指示する（ステップＳ３０２）。また、表示装置１０Ａの拡大率決定部１８２Ｂは、通信部１１を介してデイジーチェーン接続された他の表示装置１０Ｂ〜１０Ｉに対しても、各辺についての距離を導出するよう指示するリクエストを順次送信する。そして、拡大率決定部１８２Ｂは、全ての表示装置１０Ａ〜１０Ｉの各辺の距離情報を取得する（ステップＳ３０３）。
【００４６】
拡大率決定部１８２Ｂは、記憶部１３の距離情報１３１を参照し、前回取得された距離情報とステップＳ３０３において取得された距離情報とを比較して、違いがあるか否かを判定する（ステップＳ３０４）。違いがないと判定した場合、拡大率決定部１８２Ｂは、処理を終了する。一方、違いがあると判定した場合、拡大率決定部１８２Ｂは、上述した調整処理を実行する（ステップＳ３０５）。
【００４７】
次に、図７、８を参照して、実施形態に係る表示制御方法の具体例について説明する。図７は、実施形態に係る表示制御方法の具体例について説明するための図である。図８は、マスター装置において定期的に実行される調整処理の他の例を示すフローチャートである。例えば、各表示装置１０Ａ〜１０Ｉは、少なくとも表示装置１０Ａ〜１０Ｉ同士の間隔を導出する。具体的には、表示装置１０Ａの距離導出部１８１が、表示装置１０Ｂとの距離Ｄ１１と、表示装置１０Ｄとの距離Ｄ１２を導出する。表示装置１０Ｂの距離導出部１８１が、表示装置１０Ｃとの距離Ｄ２１と、表示装置１０Ｅとの距離Ｄ２２を導出する。表示装置１０Ｃの距離導出部１８１が、表示装置１０Ｆとの距離Ｄ３１を導出する。表示装置１０Ｄの距離導出部１８１が、表示装置１０Ｅとの距離Ｄ４１と、表示装置１０Ｇとの距離Ｄ４２を導出する。表示装置１０Ｅの距離導出部１８１が、表示装置１０Ｆとの距離Ｄ５１と、表示装置１０Ｈとの距離Ｄ５２を導出する。表示装置１０Ｆの距離導出部１８１が、表示装置１０Ｉとの距離Ｄ６１を導出する。表示装置１０Ｇの距離導出部１８１が、表示装置１０Ｈとの距離Ｄ７１を導出する。表示装置１０Ｈの距離導出部１８１が、表示装置１０Ｉとの距離Ｄ８１を導出する。
【００４８】
拡大率決定部１８２Ｂは、各表示装置１０Ａ〜１０Ｉにおいて取得された距離情報に基づいて、マルチディスプレイ画面の横方向に位置ずれが発生しているか否かを判定する（ステップＳ４０１）。例えば、拡大率決定部１８２Ｂは、Ｘ軸方向の距離Ｄ１１，Ｄ２１，Ｄ４１，Ｄ５１，Ｄ７１，Ｄ８１のうち前回値と異なるものがあるか否かを判定する。Ｘ軸方向の距離の全てが前回値と同じである場合、拡大率決定部１８２Ｂは、ステップＳ４０４に移行する。Ｘ軸方向の距離のうち少なくとも一つが前回値と異なる場合、拡大率決定部１８２Ｂは、位置ずれによりマルチディスプレイ画面の横サイズの変更があるか否かを判定する（ステップＳ４０２）。例えば、上段装置（表示装置１０Ａ，１０Ｂ，１０Ｃ）の横サイズが最大であるとする。距離Ｄ１１あるいは距離Ｄ２１が前回値と異なる場合、拡大率決定部１８２Ｂは、位置ずれによりマルチディスプレイ画面の横サイズの変更があると判定する。一方、距離Ｄ４１，Ｄ５１，Ｄ７１，Ｄ８１が前回値と異なる場合、拡大率決定部１８２Ｂは、中段装置あるいは下段装置の横サイズが最大となるか否かを判定し、最大となると判定した場合、位置ずれによりマルチディスプレイ画面の横サイズの変更があると判定する。例えば、Ｄ１１＋Ｄ２１＜Ｄ４１＋Ｄ５１（あるいは、Ｄ１１＋Ｄ２１＜Ｄ７１＋Ｄ８１）となる場合、拡大率決定部１８２Ｂは、位置ずれによりマルチディスプレイ画面の横サイズの変更があると判定する。位置ずれによりマルチディスプレイ画面の横サイズの変更があると判定した場合、拡大率決定部１８２Ｂは、マルチディスプレイ画面の横サイズを最大であった横サイズに修正する（ステップＳ４０３）。
【００４９】
次いで、拡大率決定部１８２Ｂは、各表示装置１０Ａ〜１０Ｉにおいて取得された距離情報に基づいて、マルチディスプレイ画面の縦方向に位置ずれが発生しているか否かを判定する（ステップＳ４０４）。例えば、拡大率決定部１８２Ｂは、Ｙ軸方向の距離Ｄ１２，Ｄ２２，Ｄ３１，Ｄ４２，Ｄ５２，Ｄ６１のうち前回値と異なるものがあるか否かを判定する。Ｙ軸方向の距離の全てが前回値と同じである場合、拡大率決定部１８２Ｂは、ステップＳ４０７に移行する。Ｙ軸方向の距離のうち少なくとも一つが前回値と異なる場合、拡大率決定部１８２Ｂは、位置ずれによりマルチディスプレイ画面の縦サイズの変更があるか否かを判定する（ステップＳ４０５）。例えば、左側装置（表示装置１０Ａ，１０Ｄ，１０Ｇ）の縦サイズが最大であるとする。距離Ｄ１２あるいは距離Ｄ４２が前回値と異なる場合、拡大率決定部１８２Ｂは、位置ずれによりマルチディスプレイ画面の縦サイズの変更があると判定する。一方、距離Ｄ２２，Ｄ５２，Ｄ３１，Ｄ６１が前回値と異なる場合、拡大率決定部１８２Ｂは、中央装置あるいは右側装置の横サイズが最大となるか否かを判定し、最大となると判定した場合、位置ずれによりマルチディスプレイ画面の縦サイズの変更があると判定する。例えば、Ｄ１２＋Ｄ４２＜Ｄ２２＋Ｄ５２（あるいは、Ｄ１２＋Ｄ４２＜Ｄ３１＋Ｄ６１）となる場合、拡大率決定部１８２Ｂは、位置ずれによりマルチディスプレイ画面の縦サイズの変更があると判定する。位置ずれによりマルチディスプレイ画面の縦サイズの変更があると判定した場合、拡大率決定部１８２Ｂは、マルチディスプレイ画面の縦サイズを最大であった縦サイズに修正する（ステップＳ４０６）。
【００５０】
次いで、拡大率決定部１８２Ｂは、マルチディスプレイ画面のサイズが変更されたか否かを判定する（ステップＳ４０７）。例えば、ステップＳ４０３において横サイズが修正された場合、あるいはステップＳ４０６において縦サイズが修正された場合、またはその両方である場合、拡大率決定部１８２Ｂは、マルチディスプレイ画面のサイズが変更されたと判定する。マルチディスプレイ画面のサイズが変更された場合、拡大率決定部１８２Ｂは、変更後のサイズに基づいて拡大率を決定する（ステップＳ４０８）。次いで、分割画像位置決定部１８２Ｃは、表示装置１０Ａ〜１０Ｉのそれぞれについて分割画像位置を決定する（ステップＳ４０９）。
【００５１】
次に、図９，１０を参照して、調整処理の具体例について説明する。図９は、分割画像位置の初期設定値について説明するための図である。図１０は、距離情報に基づいて決定された分割画像位置について説明するための図である。
【００５２】
分割画像位置の初期設定値は、図９に示す通り、画像２００を均等な大きさで９つの分割画像２０１〜２０９に分割された領域で表される。なお、分割画像２０１〜２０９のサイズは、表示装置１０の画面サイズと同じである。分割画像２０１〜２０９は、複数の表示装置１０Ａ〜１０Ｉが図１に示すように均等間隔で並んでいる状態であって、表示装置同士の隙間が設定値であったと仮定した場合における、各表装置１０Ａ〜１０Ｉの表示画面の位置と一致している。初期設定値は、例えば、分割画像２０１〜２０９の頂点のうち少なくとも対角線上に位置する２つの座標位置である。図示に示す対角線と円とは、画像に含まれる模様の一例である。分割画像の初期設定値は、分割画像２０１〜２０９間における直線が一直線上に揃い、且つ、分割画像２０１〜２０９間における曲線が同一半径の同一中心である円の一部となるように、予め設定されている。
【００５３】
例えば、表示装置１０Ｃの位置が前回値に比べてＸ軸のプラス方向に５ｍｍだけ移動したとする。この場合、分割画像位置決定部１８２Ｃは、図９に示す初期設定値に対してＸ軸のプラス方向に５ｍｍに移動したＸＹ座標値を、表示装置１０Ｃが表示する分割画像の位置に決定する。
【００５４】
また、表示装置１０Ｃの位置が前回値に比べてＸ軸のプラス方向に５ｍｍだけ移動することにより拡大率も変更された場合、分割画像位置決定部１８２Ｃは、拡大率の変更に伴う分割画像の位置の修正を行う。図１０（ａ）には、表示装置１０Ｃの位置ずれにより、マルチディスプレイ画面のサイズの変更が必要である様子を示す。拡大率を変更しないと、分割画像２０３の一部（マルチディスプレイ画面からはみ出す部分）において画像が表示されない。図１０（ｂ）には、表示装置１０Ｃの位置ずれ後のマルチディスプレイ画面の横サイズＸ２に合わせて、拡大率が変更された後の分割画像の位置を示す。図１０（ｂ）に示すように、拡大率が変更された場合、各表示装置１０Ａ〜１０Ｉにおける表示領域が変更されることにより、分割画像位置の修正の必要がある。この場合、分割画像位置決定部１８２Ｃは、図１０（ｂ）に示すような分割画像の位置を決定する。例えば、分割画像２０３以外の分割画像の位置は、表示装置１０Ｃの位置ズレと反対方向（Ｘ軸マイナス方向）にズレた位置に決定される。なお、図１０（ｂ）に示す例では、横サイズの変更に伴い、横方向に拡大率を変更する例であるが、これに限られず、縦方向の拡大率を変更してもよい。
【００５５】
以上説明した実施形態によれば、隣接する表示装置同士の距離を導出し、導出した距離に基づいて画像の拡大率を決定することにより、マルチディスプレイシステムにおいて表示される表示画面の拡大率として適切な値を簡単に設定することができる。
【００５６】
以上、本発明を実施するための形態について実施形態を用いて説明したが、本発明はこうした実施形態に何等限定されるものではなく、本発明の要旨を逸脱しない範囲内において種々の変形及び置換を加えることができる。
【００５７】
例えば、マスター装置は、デイジーチェーン接続の先頭でなくてもよく、例えば、マルチディスプレイ画面の中央に位置する表示装置であってもよい。
【符号の説明】
【００５８】
１…マルチディスプレイシステム、１０…表示装置、１１…通信部、１２…表示部、１３…記憶部、１４…センサー部、１５…入力部、１８…情報処理部、１３１…距離情報、１３２…画面位置情報、１３３…拡大率情報、１３４…分割画像位置情報、１８１…距離導出部、１８２…決定部、１８３…画像処理部、１８２Ａ…画面位置決定部、１８２Ｂ…拡大率決定部、１８２Ｃ…分割画像位置決定部
【図１】
2019200396.tif 000003
【図２】
2019200396.tif 000004
【図３】
2019200396.tif 000005
【図４】
2019200396.tif 000006
【図５】
2019200396.tif 000007
【図６】
2019200396.tif 000008
【図７】
2019200396.tif 000009
【図８】
2019200396.tif 000010
【図９】
2019200396.tif 000011
【図１０】
2019200396.tif 000012